(57)【要約】【課題】本発明は、ロータキー部材、関連アセンブリ及び蒸気タービンを提供する。【解決手段】様々な実施形態は、蒸気タービン（２）の軸方向と実質的に直交する方向に延在する主軸を有する本体と、本体（２６）内のスロット（３８）とを備えるロータキー部材であって、本体は、第１の一組の対向側面と、第１の一組の対向側面の間に延在する第２の一組の対向側面と、第２の一組の対向側面の間に延在する上面（３２）及び底面（３４）と、第１の一組の対向側面の第１及び底面（３４）の間に延在し、主軸に沿って本体（２６）の長さ全体に延在するフィレット、斜面又は面取り縁部（３６）とを含み、スロット（３８）は、第２の一組の対向側面の間に主軸に沿って本体（２６）の長さの一部分に延在し、第１の一組の対向側面の第２に開口部を形成する、ロータキー部材を含んでいる。【選択図】図３
2017106453.tif 000002
【特許請求の範囲】
【請求項１】
蒸気タービン（２）の軸方向と実質的に直交する方向に延在する主軸を有する本体（２６）と、本体（２６）内のスロット（３８）とを備える、蒸気タービン（２）の周方向シール（２４）を保持するためのロータキー部材（２０）であって、本体は、
第１の一組の対向側面と、
第１の一組の対向側面の間に延在する第２の一組の対向側面と、
第２の一組の対向側面の間に延在する上面（３２）及び底面（３４）と、
第１の一組の対向側面の第１及び底面（３４）の間に延在し、主軸に沿って本体（２６）の長さ全体に延在するフィレット、斜面又は面取り縁部（３６）とを含み、
スロット（３８）は、第２の一組の対向側面の間に主軸に沿って本体（２６）の長さの一部分に延在し、第１の一組の対向側面の第２に開口部を形成する、ロータキー部材。
【請求項２】
スロット（３８）を実質的に充填する溶接部（４０）をさらに備える、請求項１に記載のロータキー部材（２０）。
【請求項３】
溶接部（４０）が、タングステン不活性ガス（ＴＩＧ）溶接或いはメタル不活性ガス（ＭＩＧ）溶接の内の少なくとも１つを含む、請求項２に記載のロータキー部材（２０）。
【請求項４】
第１の一組の対向側面の第２の２つの別個の部分がスロット（３８）に隣接するように、スロット（３８）が、主軸に沿って本体（２６）の長さの全体に延在しない、請求項１に記載のロータキー部材（２０）。
【請求項５】
スロット（３８）が、本体（２６）の上面（３２）を貫通して延在している、請求項１に記載のロータキー部材（２０）。
【請求項６】
スロット（３８）が、一組の対向側面の第２及び上面（３２）の間に流路を形成する、請求項５に記載のロータキー部材（２０）。
【請求項７】
ロータ本体（４６）の主軸の周りで実質的に完全に周方向に延在するスロット（３８）を有するロータ本体（４６）であって、スロット（３８）が、
ロータ本体（４６）の周りで実質的に完全に円周距離に延在する一次スロット（５０）、及び、
一次スロット（５０）から軸方向に延在し、ロータ本体（４６）の周りで円周距離の一部分にだけかかる二次スロット（５２）、を含むロータ本体（４６）と、
ロータ本体（４６）の周りで実質的に完全に円周距離にかかる、一次スロット（５０）内の周方向シール（２４）と、
周方向シール（２４）の軸方向面（５６）と接している、一次スロット（５０）内の一組のシール保持部材（５４）と、
周方向シール（２４）の軸方向面（５６）と接している、二次スロット（５２）内のロータキー部材（２０）であって、一次スロット（５０）内の周方向シール（２４）を保持するためのロータキー部材（２０）とを備える、蒸気タービンロータアセンブリ。
【請求項８】
周方向シール（２４）の軸方向面（５６）が、ロータ本体（４６）の周りで円周距離の一部分にかかる凹部（４３）を含み、ロータキー部材（２０）が、周方向シール（２４）の周方向の移動を制限するために凹部（４３）を実質的に充填する、請求項７に記載の蒸気タービンロータアセンブリ。
【請求項９】
ロータキー部材（２０）が、
蒸気タービン（２）の軸方向と実質的に直交する方向に延在する主軸を有する本体（２６）と、本体（２６）内のスロット（３８）とを備える、蒸気タービン（２）の周方向シール（２４）を保持するためのロータキー部材（２０）であって、本体は、
主軸と実質的に平行である第１の一組の対向側面と、
第１の一組の対向側面と実質的に直交する方向に、第１の一組の対向側面の間に延在する第２の一組の対向側面と、
主軸と実質的に平行である方向に、第２の一組の対向側面の間に延在する上面（３２）及び底面（３４）と、
第１の一組の対向側面の第１及び底面（３４）の間に延在し、主軸に沿って本体（２６）の長さ全体に延在するフィレット、斜面又は面取り縁部（３６）とを含み、
スロット（３８）は、第２の一組の対向側面の間に主軸に沿って本体（２６）の長さの一部分に延在し、第１の一組の対向側面の第２に開口部を形成する、請求項７に記載の蒸気タービンロータアセンブリ。
【請求項１０】
第１の一組の対向側面の第２の２つの別個の部分がスロット（３８）に隣接するように、スロット（３８）が、主軸に沿って本体（２６）の長さ全体に延在しない、請求項９に記載の蒸気タービンロータアセンブリ。
【請求項１１】
スロット（３８）を実質的に充填する溶接部（４０）をさらに備え、溶接部（４０）がロータ本体（４６）、周方向シール（２４）又は１組のシール保持部材（５４）の内の１つのいずれかと接している、請求項９に記載の蒸気タービンロータアセンブリ。
【請求項１２】
溶接部（４０）が、タングステン不活性ガス（ＴＩＧ）溶接、或いはメタル不活性ガス（ＭＩＧ）溶接の内の少なくとも１つを含む、請求項１１に記載の蒸気タービンロータアセンブリ。
【請求項１３】
スロット（３８）が、本体（２６）の上面（３２）を貫通して延在する、請求項９に記載の蒸気タービンロータアセンブリ。
【請求項１４】
スロット（３８）が、一組の対向側面の第２及び上面（３２）の間に流路を形成する、請求項１３に記載の蒸気タービンロータアセンブリ。
【請求項１５】
ケーシング（７）及び、
ケーシング（７）内に少なくとも部分的に収容されたロータアセンブリ（２２）とを備えた蒸気タービンであって、ロータアセンブリ（２２）が、
ロータ本体（４６）の主軸の周りで実質的に完全に周方向に延在するスロット（３８）を有するロータ本体（４６）であって、スロット（３８）が、
ロータ本体（４６）の周りで実質的に完全に円周距離に延在する一次スロット（５０）、及び、
一次スロット（５０）から軸方向に延在し、ロータ本体（４６）の周りで円周距離の一部分にだけかかる二次スロット（５２）、を含むロータ本体（４６）と、
ロータ本体（４６）の周りで実質的に完全に円周距離にかかる、一次スロット（５０）内の周方向シール（２４）と、
周方向シール（２４）の軸方向面（５６）と接している、一次スロット（５０）内の一組のシール保持部材（５４）と、
周方向シール（２４）の軸方向面（５６）と接している、二次スロット（５２）内のロータキー部材（２０）であって、一次スロット（５０）内の周方向シール（２４）を保持するためのロータキー部材（２０）とを備える、蒸気タービンロータアセンブリ。
【請求項１６】
周方向シール（２４）の軸方向面（５６）が、ロータ本体（４６）の周りで円周距離の一部分にかかる凹部（４３）を含み、ロータキー部材（２０）が、周方向シール（２４）の周方向の移動を制限するために凹部（４３）を実質的に充填する、請求項１５に記載の蒸気タービン（２）。
【請求項１７】
ロータキー部材（２０）が、
蒸気タービン（２）の軸方向と実質的に直交する方向に延在する主軸を有する本体（２６）と、本体（２６）内のスロット（３８）とを備える、蒸気タービン（２）の周方向シール（２４）を保持するためのロータキー部材（２０）であって、本体は、
主軸と実質的に平行である第１の一組の対向側面と、
第１の一組の対向側面と実質的に直交する方向に、第１の一組の対向側面の間に延在する第２の一組の対向側面と、
主軸と実質的に平行である方向に、第２の一組の対向側面の間に延在する上面（３２）及び底面（３４）と、
第１の一組の対向側面の第１及び底面（３４）の間に延在し、主軸に沿って本体（２６）の長さ全体に延在するフィレット、斜面又は面取り縁部（３６）とを含み、
スロット（３８）は、第２の一組の対向側面の間に主軸に沿って本体（２６）の長さの一部分に延在し、第１の一組の対向側面の第２に開口部を形成する、請求項１５に記載の蒸気タービン（２）。
【請求項１８】
第１の一組の対向側面の第２の２つの別個の部分がスロット（３８）に隣接するように、スロット（３８）が、主軸に沿って本体（２６）の長さの全体に延在しない、請求項１７に記載の蒸気タービン（２）。
【請求項１９】
スロット（３８）を実質的に充填する溶接部（４０）をさらに備える、請求項１７に記載の蒸気タービン（２）。
【請求項２０】
スロット（３８）が、本体（２６）の上面（３２）を貫通して延在し、スロット（３８）が、一組の対向側面の第２及び上面（３２）の間に流路を形成する、請求項１７に記載の蒸気タービン（２）。
【発明の詳細な説明】
【技術分野】
【０００１】
本明細書で開示される主題は、蒸気タービンに関する。具体的には、本明細書で開示される主題は、蒸気タービンのシール装置に関する。
【背景技術】
【０００２】
蒸気タービンは、回転するロータに連結されたタービンバケットの中に作動流体の流れを導く、静止したノズルアセンブリを含む。ノズル構成（複数のノズル、すなわち「翼形部」を含む）は、時には「ダイヤフラム」又は「ノズルアセンブリ段」と呼ばれる。蒸気タービンダイヤフラムは、ロータの周りに組み立てられた２つの半体を含み、これら２つの半体の間に水平ジョイントを形成する。各タービンダイヤフラム段は、それぞれの水平ジョイントにおいてダイヤフラムの各側面上の支持バー、支持ラグ、又は支持ネジによって垂直方向に支持される。ダイヤフラムの水平ジョイントはまた、タービンケーシングの水平ジョイントに対応し、タービンケーシングは蒸気タービンダイヤフラムを取り囲む。
【０００３】
蒸気タービンは、ロータ部品及びステータ部品の間のシールを利用するが、典型的に、前者はロータバケット先端の半径方向外側にあり、後者（ステータ）はダイヤフラムノズルカバーの半径方向内側にある。一部のシールは、ロータ及び／又はステータの歯として形成されているが、他の構成は、ロータの周方向ダブテールスロット内に配置されている周方向（又は回転）シールを含む。これらの回転（周方向）シールは、半径方向保持、回転制御、周方向ロック、及び円周にわたるシールの整合性を含む、固有の意匠制約を示す。
【先行技術文献】
【特許文献】
【０００４】
【特許文献１】米国特許出願公開第２０１２／０２５１３０３号明細書
【発明の概要】
【０００５】
様々な実施形態は、ロータキー部材、関連アセンブリ及び蒸気タービンを含む。具体的な実施形態は、蒸気タービンの周方向シールを保持するためのロータキー部材を含み、ロータキー部材は、蒸気タービン内の軸方向と実質的に直交する方向に延在する主軸を備える本体であって、第１の一組の対向側面と、第１の一組の対向側面の間に延在する第２の一組の対向側面と、第２の一組の対向側面の間に延在する上面及び底面と、第１の一組の対向側面の第１及び底面の間に延在し、主軸に沿って本体の長さ全体に延在するフィレット、斜面又は面取り縁部とを含む本体及び、本体内のスロットであって、第２の一組の対向側面の間に主軸に沿って本体の長さの一部分に延在し、第１の一組の対向側面の第２に開口部を形成するスロット、を含んでいる。
【０００６】
本開示の第１の態様は、蒸気タービン内の軸方向とほぼ直交する方向に延在する主軸を有する本体と、本体内のスロットとを備える、蒸気タービンの周方向シールを保持するためのロータキー部材であって、本体は、第１の一組の対向側面と、第１の一組の対向側面の間に延在する第２の一組の対向側面と、第２の一組の対向側面の間に延在する上面及び底面と、第１の一組の対向側面の第１及び底面の間に延在し、主軸に沿って本体の長さ全体に延在するフィレット、斜面又は面取り縁部とを含み、スロットは、第２の一組の対向側面の間に主軸に沿って本体の長さの一部分に延在し、第１の一組の対向側面の第２に開口部を形成する、ロータキー部材に関する。
【０００７】
本開示の第２の態様は、ロータ本体の主軸の周りで実質的に完全に周方向に延在するスロットを有するロータ本体であって、スロットが、ロータ本体の周りで実質的に完全に円周距離に延在する一次スロット、及び、一次スロットから軸方向に延在し、ロータ本体の周りで円周距離の一部分にだけかかる二次スロット、を含むロータ本体と、ロータ本体の周りで実質的に完全に円周距離にかかる、一次スロット内の周方向シールと、周方向シールの軸方向面と接している、一次スロット内の一組のシール保持部材と、周方向シールの軸方向面と接している、二次スロット内のロータキー部材であって、一次スロット内の周方向シールを保持するためのロータキー部材と、とを有する、蒸気タービンロータアセンブリを含む。
【０００８】
本開示の第３の態様は、ケーシング及び、ケーシング内に少なくとも部分的に収容されたロータアセンブリとを備えた蒸気タービンであって、ロータアセンブリが、ロータ本体の主軸の周りで実質的に完全に周方向に延在するスロットを有するロータ本体であって、スロットが、ロータ本体の周りで実質的に完全に円周距離に延在する一次スロット、及び、一次スロットから軸方向に延在し、ロータ本体の周りで円周距離の一部分にだけかかる二次スロット、を含むロータ本体と、ロータ本体の周りで実質的に完全に円周距離にかかる、一次スロット内の周方向シールと、周方向シールの軸方向面と接している、一次スロット内の一組のシール保持部材と、周方向シールの軸方向面と接している、二次スロット内のロータキー部材であって、一次スロット内の周方向シールを保持するためのロータキー部材とを有する、蒸気タービンを含む。
【０００９】
本発明のこれらの及び他の特徴は、本開示の様々な実施形態を示す添付の図面と併せて、本発明の様々な態様の以下の詳細な説明から、より容易に理解されよう。
【図面の簡単な説明】
【００１０】
【図１】様々な実施形態による蒸気タービンの部分的な断面概略図である。
【図２】本開示の様々な実施形態によるキー部材を含む蒸気タービンロータアセンブリの一部分の概略的な３次元斜視図である。
【図３】本開示の様々な実施形態による蒸気タービンロータアセンブリの一部分の概略的な断面斜視図である。
【図４】本開示の様々な実施形態による蒸気タービンロータアセンブリの概略的な断面図である。
【図５】ロータキー部材を除く、本開示の様々な実施形態による図４のロータアセンブリの概略的な３次元斜視図である。
【図６】周方向シール及びロータキー部材を除く、本開示の様々な実施形態による図４のロータアセンブリの一部分の３次元斜視図である。
【図７】ロータキー部材を除き、シール保持部材をさらに含む、本開示の様々な実施形態による図４のロータアセンブリの一部分の３次元斜視図である。
【図８】様々な実施形態によるロータアセンブリの一部分の３次元斜視図である。
【発明を実施するための形態】
【００１１】
本発明の図面は必ずしも一定の比率ではないことに留意されたい。図面は、本発明の典型的な態様だけを示すことを目的としており、したがって、本発明の範囲を限定するものとみなすべきではない。図面においては、図面間で類似する符号は類似する要素を示す。
【００１２】
本明細書で開示される主題は、蒸気タービンに関する。具体的には、本明細書で開示される主題は、蒸気タービンの回転シールに関する。
【００１３】
本開示の様々な実施形態によると、装置（たとえばキー部材）は、蒸気タービンの周方向（たとえば回転可能な）シールをロック／ロック解除するように構成されており、いずれもシールを半径方向に保持すると共に回転を防止している。周方向シールを保持する従来のアプローチは、望ましくない回転を可能にすると共に、スリップ及びクリープに影響されやすい。スリップ及びクリープはシールの有効性を低減させ、シール及び隣接する部品を摩耗させる。これらの従来のアプローチとは対照的に、様々な実施形態は、ロータ本体内のキースロットに係合し、かつ隣接する周方向シールを半径方向に保持するように寸法付けられている半径方向キー部材を含む。キー部材はスロットを含むことができ、スロットを実質的に充填し、キー部材をロータアセンブリ内の所定の位置にロックする溶接部をさらに含むことができる。溶接部は、ロータ本体、周方向シール、又は隣接するシール保持部材の内の少なくとも１つとキー部材とを接続／分離するために使用することができる。キー部材は、回転シール及びキースロットの軸方向に対向する壁の両方と接するのに十分な軸方向幅を（たとえば、周方向シールの凹部内に）有している。場合によっては、キー部材は、ロータ本体及び周方向シールの間の空間にキー部材を容易に挿入することができるフィレット、斜面面取り縁部を含んでいる。
【００１４】
これらの図に示すように、「Ａ」軸は、軸方向（タービンロータの軸に沿っており、タービン中心線と呼ばれることもある）を示している。本明細書で用いる「軸方向の」及び／又は「軸方向に」という用語は、軸線Ａに沿った対象物の相対的な位置／方向を指し、軸線Ａはターボ機械の回転軸（具体的には、ロータ部）と実質的に平行である。さらに本明細書で用いる「半径方向の」及び／又は「半径方向に」という用語は、軸線（ｒ）に沿った対象物の相対的な位置／方向を指し、軸線（ｒ）は軸線Ａと実質的に直交し、かつ一箇所のみで軸線Ａと交差する。さらに、「周方向の」及び／又は「周方向に」という用語は、周線（ｃ）に沿った対象物の相対的な位置／方向を指し、周線（ｃ）は軸線Ａを取り囲むが、いずれの位置でも軸線Ａと交差しない。図において同じ符号が付された要素は、実質的に同じ（たとえば、同一の）部品を示している。
【００１５】
図１を参照すると、蒸気タービン２（たとえば、高圧／中圧蒸気タービン）の部分的な断面概略図が示されている。蒸気タービン２は、たとえば、低圧（ＬＰ）セクション４及び高圧（ＨＰ）セクション６を含むことができる（当業者間では周知のように、ＬＰセクション４及びＨＰセクション６のいずれかは、中圧（ＩＰ）セクションを含むことができる）。ＬＰセクション４及びＨＰセクション６は、ケーシング７に少なくとも部分的に収容される。蒸気は、ケーシング７の１つ以上の入口８を通ってＨＰセクション６及びＬＰセクション４に流入し、入口８から軸方向下流側に流れることができる。一部の実施形態では、ＨＰセクション６及びＬＰセクション４は共通シャフト１０で結合され、共通シャフト１０は軸受け１２と接することができ、作動流体（蒸気）がＬＰセクション４及びＨＰセクション６の各々の中のブレードを回転させると、シャフト１０の回転が可能になる。ＬＰセクション４及びＨＰセクション６内のブレードで機械的仕事を行った後に、作動流体（たとえば蒸気）は、ケーシング７の出口１４から出ることができる。ＨＰセクション６及びＬＰセクション４の中心線（ＣＬ）１６を基準点として示す。ＬＰセクション４及びＨＰセクション６は、いずれもダイヤフラムアセンブリを含むことができ、ダイヤフラムアセンブリはケーシング７のセグメント内に収容されている。
【００１６】
図２は、蒸気タービンロータアセンブリ（又は単に「ロータアセンブリ」）２２から除去されたロータキー部材２０の、様々な実施形態による概略的な３次元図である。図３は、ロータアセンブリ２２に挿入されたロータキー部材２０を説明する、図２のロータアセンブリ２２を示す断面斜視図である。図４は、本明細書で説明するようなロータキー部材２０を固定する溶接部４０をさらに備える、ロータアセンブリ２２の断面側面図である。
【００１７】
図３〜図４に示すように、ロータキー部材２０は、蒸気タービン（たとえば、蒸気タービン２のような蒸気タービン内のロータアセンブリ２２内）の周方向シール２４を保持するように構成されている。図２〜図４を参照すると、ロータキー部材２０は、ロータアセンブリ２２の軸線方向（Ａ）に対して実質的に直交する方向に延在する主軸（ａPb）を有する本体２６を含んで示されている（軸線方向Ａは、蒸気タービン２の回転軸と一致している）。本体２６は、第１の一組の対向側面２８、第２の一組の対向側面３０、第２の一組の対向側面３０の間に延在する上面３２及び底面３４を含むことができる。本体２６はまた、第１の一組の対向側面２８の第１（２８Ａ）及び底面３４の間に延在するフィレット、斜面又は面取り縁部３６を含むことができ、フィレット、斜面又は面取り縁部３６は、主軸（ａPb）に沿って本体２６の長さ全体にわたって延在している。
【００１８】
様々な実施形態によれば、ロータキー部材２０は、本体２６内にスロット３８を含むことができる。スロット３８は、第２の一組の対向側面３０の間に主軸（ａPb）に沿って本体２６の長さ（ｌ）の一部分に延在することができ、スロット３８は、第１の一組の対向側面２８の第２（２８Ｂ）に開口部を形成する。様々な実施形態では、図４に示すように、ロータキー部材２０は、スロット３８を実質的に充填する溶接部４０をさらに含むことができる。様々な実施形態では、溶接部４０は、タングステン不活性ガス（ＴＩＧ）溶接、或いはメタル不活性ガス（ＭＩＧ）溶接の少なくとも１つを含むことができ、本体２６が周方向シール２４に隣接して（本明細書でさらに説明するようにスロット内に）配置された後に形成することができる。図２〜図４から分かるように、場合によっては、スロット３８は、第１の一組の対向側面２８の第２（２８Ｂ）の２つの別個の部分４２Ａ、４２Ｂが、溶接部４０を形成することができるポケットを形成しながらスロット３８と接するように、本体２６の長さ（ｌ）の全体には延在していない。様々な実施形態では、スロット３８は、本体２６の上面３２を通って延在し、第１の一組の対向側面２８の第２（２８Ｂ）及び上面３２の間に流路を形成し、溶接部４０（溶接材料）は、この中を流れることができる。場合によっては、本明細書で説明するように、溶接部４０は、本体２６と周方向シール２４とを接合しながら、周方向シール２４と接する。しかし、他の実施形態では、溶接部４０は、本明細書でさらに説明するように、ロータ本体４６又は隣接するシール保持部材５４の少なくとも１つと接することができる。
【００１９】
図５は、ロータキー部材２０を除く、図４のロータアセンブリ２２の概略的な３次元斜視図である。図６は、周方向シール２４及びロータキー部材２０を除く、ロータアセンブリ２２の一部分の３次元斜視図である。本明細書で説明するように、図７は、ロータキー部材２０を除き、シール保持部材５４をさらに含む、ロータアセンブリ２２の一部分の３次元斜視図である。図８は、周方向シール２４、シール保持部材４４及びロータキー部材２０を含み、溶接部４０を除く、ロータアセンブリ２２を示している。
【００２０】
図５〜図８を引き続き参照しながら図３に戻ると、ロータアセンブリ２２は、ロータ本体４６の主軸（Ａ）の周りで実質的に完全に周方向に延在するスロット４８を有するロータ本体４６を含んで示されている（主軸Ａは蒸気タービンの回転軸に対応する）。スロット４８は、ロータ本体４６の周りで実質的に完全に円周距離に延在する一次スロット５０と、一次スロット５０から軸方向に延在し、ロータ本体４６の周りで円周距離の一部分にだけかかる二次スロット５２（図５、６及び７）とを含むことができる。図３に示すように、ロータアセンブリ２２はさらに、ロータ本体４６の周りで実質的に完全に円周距離にかかる周方向シール２４を、（たとえばセクションで、又は１つの連続的な材料部品として）一次スロット５０内に含むことができる。図７及び図８は、一次スロット５０内に（たとえば、複数で、円周方向に配置され）、周方向シール２４の軸方向面５６と接している一組のシール保持部材５４を含むロータアセンブリ２２のさらなる部品を示している。図８に示すように、ロータキー部材２０は二次スロット５２内に配置され（及びこれを実質的に充填し）、周方向シール２４の軸方向面５６と接している。ロータキー部材２０は、二次スロット５２を摺動して出入りして、たとえば、とりわけ溶接部４０を使用して周方向シール２４に係合（接続）するために周方向シール２４をロックするように寸法付けられてもよい。本明細書で説明するように、Ｕ字形状のロータキー部材２０は、その可撓性の組成とあわせて、シール保持部材５４（ひいては、周方向シール２４）をロック／アンロックするために、二次スロット５２に挿入又は二次スロットから取り外すことができる。図５及び図７に示すように、一部の実施形態では、周方向シール２４は、周方向に一部分にだけ延在し、軸方向面５６に隣接するセグメント間の区切りとなる凹部４３を含むことができる。場合によっては、この凹部４３は、ロータキー部材２０を収容するように、及び二次スロット５２と一致するように寸法付けることができる。すなわち、様々な実施形態では、ロータキー部材２０は、凹部４３を実質的に充填し、周方向シール２４が周方向に移動するのを制限している。
【００２１】
蒸気タービン２の運転中、ロータアセンブリ２２は、軸方向面５６に軸方向の圧力を与えることで周方向シール２４を保持することができる。具体的には、シール保持部材５４は、周方向シール（軸方向面５６）に軸方向の圧力を加えることができ、一方でロータキー部材２０は、シール保持部材５４を周方向に定位置にロックする（ここで第１のアーム２８は、二次スロット５２により保持されている）。さらに、ロータキー部材２０は周方向シール２４の軸方向面を凹部４３内に係合して、ロータ本体４６に対する周方向シール２４の回転を制限する。また、溶接部４０は、周方向シール２４の半径方向内面に係合して、ロータ本体４６に対する周方向シール２４の軸方向の回転を抑制することができる。様々な実施形態によれば、ロータキー部材２０（及びロータアセンブリ２２）は、蒸気タービン（たとえば蒸気タービン２）内の複数の段で利用することができ、周方向シール部品の組立分解の助けとなるだけでなく、摩耗と、部品の故障による複雑な問題とを減少させることができる。
【００２２】
本明細書で用いる用語は、特定の実施形態を説明することだけを目的とし、本開示を限定することを目的とするものではない。本明細書で用いられるように、文脈で別途明確に指示しない限り、単数形「１つの（ａ）」、「１つの（ａｎ）」及び「（ｔｈｅ）」は複数形も含むものとする。「含む（ｃｏｍｐｒｉｓｅｓ）」及び／又は「含む（ｃｏｍｐｒｉｓｉｎｇ）」という用語は、本明細書で使用される場合に、記載した特徴、整数、ステップ、動作、要素、及び／又は部品の存在を示すが、１つ以上の他の特徴、整数、ステップ、動作、要素、部品、及び／又はこれらのグループの存在もしくは追加を排除するものではないことがさらに理解されるであろう。
【００２３】
この明細書は、本発明を開示するために実施例を用いており、最良の形態を含んでいる。また、いかなる当業者も本発明を実施することができるように実施例を用いており、任意のデバイス又はシステムを製作し使用し、任意の組み込まれた方法を実行することを含んでいる。・本発明の特許され得る範囲は、請求項によって定義され、当業者が想到する他の実施例を含むことができる。このような他の実施例が請求項の字義通りの文言と異ならない構造要素を含む場合、又は、それらが請求項の字義通りの文言と実質的な差異がない等価な構造要素を含む場合には、このような他の実施例は特許請求の範囲内であることを意図している。
【符号の説明】
【００２４】
２  蒸気タービン
４  低圧ＬＰセクション
６  高圧ＨＰセクション
７  ケーシング
８  入口
１０  シャフト
１２  軸受け
１４  出口
１６  中心線ＣＬ
２０  ロータキー部材
２２  ロータアセンブリ
２４  周方向シール
２６  本体
２８  第１のアーム
２８  側面
３０  側面
３２  上面
３４  底面
３６  面取り縁部
３８  スロット
４０  溶接部
４３  凹部
４４  シール保持部材
４６  ロータ本体
４８  スロット
５０  一次スロット
５２  二次スロット
５４  シール保持部材
５６  軸方向面
４２Ａ  側面の一部分
４２Ｂ  側面の一部分
【図１】
2017106453.tif 000003
【図２】
2017106453.tif 000004
【図３】
2017106453.tif 000005
【図４】
2017106453.tif 000006
【図５】
2017106453.tif 000007
【図６】
2017106453.tif 000008
【図７】
2017106453.tif 000009
【図８】
2017106453.tif 000010
【外国語明細書】
2017106453000001.pdf